(57)【要約】      （修正有）【課題】全く薬剤を使わないで、一度に多くの植木鉢やプランターなどを載せられ、安全且つ長期的に低廉で維持が出来る、ナメクジ除け園芸用テーブルを提供する。【解決手段】立体的に構成した一対の導電体付プレートを用い、天板１の上段部と台脚部７を主要素とする下段部の２重構造で、下段部の台脚部７の一対の導電体をナメクジが過ぎる時に、電気ショックで上段部への侵入を阻止し、上下段部の全ての間隔を、重ね合う部分を除き、ナメクジ体長の約３分の２以上にし、風雨による飛沫等を防止カバー３で防ぎ、天板１に多くの園芸用具を載せる。【選択図】図１
0003202944.tif 000002
【実用新案登録請求の範囲】
【請求項１】
大きくは、天板の上段部と、台脚部を主要素とする下段部とから成るナメクジ除け園芸用テーブルであり、この構造物全体を受け台の上に載せ置いて使用するものであって、以下、天板は、仮に横長の長方形状で、長手辺の一方の手前側を正面として向き合うと仮定するのであるが、受け台に直接設置しているのは下段部の設置板であり、設置板は天板を多少縮小した形の横長の長方形状で、設置板と天板とは台脚部と天板受け板を挟んで、長手辺・短手辺が上下に相互並列・平行状態にあり、下段部の諸要素は設置板の上に設置されるのであり、下段部の台脚部は設置板の長手辺の中心線を挟み左右に、相互平行・並列で一定の等間隔距離をおいて、設置板の短手辺の中心線に、真上から見た立設の台脚部の長手辺の中心線を重ね、且つ細長形状の天板受け板の長手辺の中心線も重ね合わせ、真上から見た立設の台脚部の短手辺の中心線から、天板受け板の短手辺の中心線を、設置板の長手辺の左右の外縁方向に、相互並列・平行・等間隔距離で、双方が少し離れる方向に移動して、台脚部の上部に天板受け板を取付けるのであるが、台脚部は分厚い正角材を用いた場合において、上方へは約３−４段重ね程の高さに形設し、更に３Ｄ式導電体付プレート構造即ち横長の３層のプレート構造で、電気的に絶縁性の且つ多少柔軟性がある材料を用い、板厚が約０．５ｍｍ位で台脚部の中間下域・側面周囲・外側の下部導電体付プレートと同板厚で対なる内側の上部導電体付プレートの間には、内外双方のプレートを分離隔絶する板厚約１ｍｍ位の分離隔絶用プレートを挟み、各々の形状が異なる計３枚のプレートを下端基準で重ね合わせ、天板を正面側から見て、台脚部左右の側面部と上部導電体付プレートの間に、板厚が約３ｍｍ以上のスペーサーを挟んで、台脚部の高さの中間下域を一周する形で、プラス側・マイナス側一対の立体的に構成した３Ｄ式導電体付プレートを取付けるのであって、下部導電体付プレートの下部導電体の幅は約１０ｍｍ以下で、そのプレートの上端から約１ｍｍ位を空け、手前面側で下向きに下部導電体を取付け、分離隔絶用プレートは下部導電体付プレートよりも縦幅が約５−１０ｍｍ位短くし、上部導電体付プレートの縦幅は、下部導電体付プレート幅と上部導電体パターン幅分に約２ｍｍ以上を合算した寸法で、下部導電体付プレートの上端を上部導電体パターン幅の下端の基準線にし、上部導電体付プレートの上端から約２ｍｍ以上空けて、手前面側で上向きに幅約１０ｍｍ以上の導電体を取り付け、更に設置板のほぼ中央部に飛沫防止カバーで覆った電源ＢＯＸを設置し、この電源から台脚部の上下部の導電体付プレートの各導電体に電源ケーブルを接続するのであり、このように設置された台脚部の外周に沿って周回し、垂直上方に・台脚部の上端よりも低く、下段部飛沫防止カバーを立設し、下段部の天板受け板の上に上段部の天板を載せるのであって、このように形成された上段部と下段部を重ね合わせた時、天板と下段部飛沫防止カバー先端との間、天板受け板と下段部飛沫防止カバー先端との間、台脚部の下部導電体付プレートの上端より上方の上部導電体付プレート、及び上部導電体付プレートの上端より上方の台脚部と下段部飛沫防止カバーとの間など、上段部と下段部とは、天板受け板と接し重なる上段部の天板との間を除くどの場所においても・相互にナメクジ体長の３分の２以上の間隔があるように形成され、また下段部飛沫防止カバーの高さは水平方向から見て、台脚部の上部導電体のパターンが十分に隠れる程度にすることを特徴とする３Ｄ式導電体付プレート構造のナメクジ除け園芸用テーブル。
【考案の詳細な説明】
【技術分野】
【０００１】  この考案は、園芸用具などにナメクジが侵入するのを阻止するための３Ｄ式導電体付プレート構造を用いた園芸用テーブルに関するものである。
【背景技術】
【０００２】  従来、植木鉢や各種プランターなどで、ナメクジの侵入による被害から野菜や園芸植物を防止するためには、各種市販の薬剤を使用する方法が一般的であった。
しかし、屋外で薬剤を用いてするナメクジ忌避対策は、風雨による薬効低下に加えて、犬猫、幼児などが、不測的な薬害発生に巻き込まれる危険性などの諸問題が存在している。
よって、これらの問題や危険性が生じず、一度に多くの植木鉢やプランター等を載せて使用することが出来るようなナメクジ侵入防止用具を必要としたが、屋外の厳しい環境下での使用は、ナメクジの夜行性等々特異な習性もあって、容易には実現が出来なかった。植木鉢の載置台の周囲に、水や駆除液を入れる収納凹部を設けて、ナメクジやミミズの侵入を防ぐのも知られている（特許文献１参照）。
又、忌避剤を浸透させた忌避マットでナメクジを駆除するのも知られている（特許文献２参照）。更に、植木鉢の表面や周囲などに一対の電極を取り付け、電撃を与えて忌避するのも知られている（特許文献３参照）。
【先行技術文献】
【特許文献】
【０００３】
【特許文献１】実用新案公開平６−２４４４４号公報
【特許文献２】特許公開２００１−２２６２１２号公報
【特許文献３】特許公開２００２−１７１８９４号公報
【考案の開示】
【考案が解決しようとする課題】
【０００４】  従来、園芸用のナメクジ忌避や駆除には、市販の薬剤を使用するのが一般的であるが、屋外では雨水による薬剤効果の減少や、薬剤費用の問題、不測的な薬害の危険性などが存在している。これらの問題や危険性を回避するためにも、薬剤を全く使用せず、長期間でも低廉な維持費用で、昼夜及び季節などに関係なく、一度に多くの園芸用具を載せられる、ナメクジ除け園芸用のテーブルが必要である。
参照文献１、２に示される先行技術は、雨水対策がなく、植木鉢などを個別に使用する構造になっているが、一般的に園芸をする場合は、多数の植木鉢やプランター等を用いて育成している為に、多くの植木鉢などを載せられない先行技術の用具では、購入費用も増え、維持管理も煩雑になってとても厄介である。
又、参照文献３に示される先行技術は、屋外での使用に対して、風雨や飛沫の対策が十分にないので、電源関係や重要な電極・導電体の部分に不具合が生じ易い。
【課題を解決するための手段】
【０００５】  大きくは、天板の上段部と、台脚部を主要素とする下段部とから成るナメクジ除け園芸用テーブルであり、この構造物全体を受け台の上に載せ置いて使用するものである。以下、天板は、仮に横長の長方形状で、長手辺の一方の手前側を正面として向き合うと仮定する。受け台に直接設置しているのは下段部の設置板であり、設置板は天板を多少縮小した形の横長の長方形状で、設置板と天板とは台脚部と天板受け板を挟んで、長手辺・短手辺が上下に相互並列・平行状態にあり、下段部の諸要素は設置板の上に設置される。下段部の台脚部は設置板の長手辺の中心線を挟み左右に、相互平行・並列で一定の等間隔距離をおいて、設置板の短手辺の中心線に、真上から見た立設の台脚部の長手辺の中心線を重ね、且つ細長形状の天板受け板の長手辺の中心線も重ね合わせ、真上から見た立設の台脚部の短手辺の中心線から、天板受け板の短手辺の中心線を、設置板の長手辺の左右の外縁方向に、相互並列・平行・等間隔距離で、双方が少し離れる方向に移動して、台脚部の上部に天板受け板を取付ける。
台脚部は分厚い正角材を用いた場合において、上方へは約３−４段重ね程の高さに形設し、更に３Ｄ式導電体付プレート構造即ち横長の３層のプレート構造で、電気的に絶縁性の且つ多少柔軟性がある材料を用い、板厚が約０．５ｍｍ位で台脚部の中間下域・側面周囲・外側の下部導電体付プレートと同板厚で対なる内側の上部導電体付プレートの間には、内外双方のプレートを分離隔絶する板厚約１ｍｍ位の分離隔絶用プレートを挟み、各々の形状が異なる計３枚のプレートを下端基準で重ね合わせ、天板を正面側から見て、台脚部左右の側面部と上部導電体付プレートの間に、板厚が約３ｍｍ以上のスペーサーを挟んで、台脚部の高さの中間下域を一周する形で、プラス側・マイナス側一対の立体的に構成した３Ｄ式導電体付プレートを取付けるのであって、下部導電体付プレートの下部導電体の幅は約１０ｍｍ以下で、そのプレートの上端から約１ｍｍ位を空け、手前面側で下向きに下部導電体を取付け、分離隔絶用プレートは下部導電体付プレートよりも縦幅が約５−１０ｍｍ位短くし、上部導電体付プレートの縦幅は、下部導電体付プレート幅と上部導電体パターン幅分に約２ｍｍ以上を合算した寸法で、下部導電体付プレートの上端を上部導電体パターン幅の下端の基準線にし、上部導電体付プレートの上端から約２ｍｍ以上空けて、手前面側で上向きに幅約１０ｍｍ以上の導電体を取り付け、更に設置板のほぼ中央部に飛沫防止カバーで覆った電源ＢＯＸを設置し、この電源から台脚部の上下部の導電体付プレートの各導電体に電源ケーブルを接続する。このように設置された台脚部の外周に沿って周回し、垂直上方に・台脚部の上端よりも低く、下段部飛沫防止カバーを立設し、下段部の天板受け板の上に上段部の天板を載せるのであって、このように形成された上段部と下段部を重ね合わせた時、天板と下段部飛沫防止カバー先端との間、天板受け板と下段部飛沫防止カバー先端との間、台脚部の下部導電体付プレートの上端より上方の上部導電体付プレート、及び上部導電体付プレートの上端より上方の台脚部と下段部飛沫防止カバーとの間など、上段部と下段部とは、天板受け板と接し重なる上段部の天板との間を除くどの場所においても・相互にナメクジ体長の約３分の２以上の間隔があるように形成される。また下段部飛沫防止カバーの高さは水平方向から見て、台脚部の上部導電体のパターンが十分に隠れる程度にする。
以上を特徴とする３Ｄ式導電体付プレート構造のナメクジ除け園芸用テーブルである。
【考案の効果】
【０００６】  ナメクジ忌避や駆除には、一般的に薬剤などを使用しているが、屋外では雨水による薬効の減少と使用量の増加、薬害など厄介な問題があった。
本考案は薬剤を一切使用しない構造であり、安価な１個の乾電池を用い、電気ショックによるナメクジ忌避効果を約１年以上も持続することが出来、屋外での使用に於いて、風雨などに対して有効な備えを形設してあり、低費用で長期間の使用が出来、且つ一度に多くの植木鉢やプランターなどを載せられる。
又、次第に利用できる場所が狭くなれば、本考案に２倍位の大きなテーブルを重ねて取り付けることで、簡便に利用の拡大が出来、更に、本考案を２セット用い、少し並列に離して設置し、間に適当な補強材を使って跨ぐように配置すれば、より大きなテーブルを載せられ、本考案の５−６倍程の面積の拡大が出来、よって園芸活動の拡充には柔軟に対応が出来る。
【図面の簡単な説明】
【０００７】
【図１】本考案の外観斜視図
【図２】本考案の一部である上段部の裏面図
【図３】本考案の一部である下段部の平面図
【図４】本考案の一部である下段部の正面図
【図５】本考案の一部である台脚部と導電体を示す側面図
【図６】本考案の一部である台脚部と導電体を示す平面図
【考案を実施するための形態】
【０００８】  以下、本考案の実施形態を説明する。
大きくは、天板（１）の上段部（８）と、台脚部（７）を主要素とする下段部（９）とから成るナメクジ除け園芸用テーブルであり、この構造物全体を受け台（５）の上に載せ置いて使用するものである。以下、天板（１）は、仮に横長の長方形状で、長手辺の一方の手前側を正面として向き合うと仮定する。受け台（５）に直接設置しているのは下段部（９）の設置板（４）であり、設置板（４）は天板（１）を多少縮小した形の横長の長方形状で、設置板（４）と天板（１）とは台脚部（７）と天板受け板（２）を挟んで、長手辺・短手辺が上下に相互並列・平行状態にあり、下段部（９）の諸要素は設置板（４）の上に設置される。
下段部（９）の台脚部（７）は設置板（４）の長手辺の中心線を挟み左右に、相互平行・並列で一定の等間隔距離をおいて、設置板（４）の短手辺の中心線に、真上から見た立設の台脚部（７）の長手辺の中心線を重ね、且つ細長形状の天板受け板（２）の長手辺の中心線も重ね合わせ、真上から見た立設の台脚部（７）の短手辺の中心線から、天板受け板（２）の短手辺の中心線を、設置板（４）の長手辺の左右の外縁方向に、相互並列・平行・等間隔距離で、双方が少し離れる方向に移動して、台脚部（７）の上部に天板受け板（２）を取付ける。
台脚部（７）は分厚い正角材を用いた場合において、上方へは約３−４段重ね程の高さに形設し、更に３Ｄ式導電体付プレート構造即ち横長の３層のプレート構造で、電気的に絶縁性の且つ多少柔軟性のある材料を用い、板厚が約０．５ｍｍ位で台脚部（７）の中間下域・側面周囲・外側の下部導電体付プレート（１１）と同板厚で対なる内側の上部導電体付プレート（１３）の間には、内外双方のプレート（１３）（１１）を分離隔絶する板厚約１ｍｍ位の分離隔絶用プレート（１２）を挟み、各々の形状が異なる計３枚のプレートを下端基準で重ね合わせ、天板（１）を正面側から見て、台脚部（７）左右の側面部と上部導電体付プレート（１３）の間に、板厚が約３ｍｍ以上のスペーサー（１４）を挟んで、台脚部（７）の高さの中間下域を一周する形で、プラス側・マイナス側一対の立体的に構成した３Ｄ式導電体付プレートを取付けるのであって、下部導電体付プレート（１１）の下部導電体（１０ｂ）の幅は約１０ｍｍ以下で、そのプレートの上端から約１ｍｍ位を空け、手前面側で下向きに下部導電体（１０ｂ）を取付け、分離隔絶用プレート（１２）は下部導電体付プレート（１１）よりも縦幅が約５−１０ｍｍ位短くし、上部導電体付プレート（１３）の縦幅は、下部導電体付プレート（１１）幅と上部導電体（１０ａ）パターン幅分に約２ｍｍ以上を合算した寸法で、下部導電体付プレート（１１）の上端を上部導電体（１０ａ）パターン幅の下端の基準線にし、上部導電体付プレート（１３）の上端から約２ｍｍ以上を空けて、手前面側で上向きに幅約１０ｍｍ以上の導電体を取り付け、更に設置板（４）のほぼ中央部に飛沫防止カバーで覆った電源ＢＯＸ（６）を設置し、この電源から台脚部（７）の上下部の導電体付プレート（１３）（１１）の各導電体（１０ａ）（１０ｂ）に電源ケーブル（１５）を接続する。このように設置された台脚部（７）の外周に沿って周回し、垂直上方に・台脚部（７）の上端よりも低く、下段部飛沫防止カバー（３）を立設し、下段部（９）の天板受け板（２）の上に上段部（８）の天板（１）を載せるのであって、このように形成された上段部（８）と下段部（９）を重ね合わせた時、天板（１）と下段部飛沫防止カバー（３）先端との間、天板受け板（２）と下段部飛沫防止カバー（３）先端との間、台脚部（７）の下部導電体付プレート（１１）の上端より上方の上部導電体付プレート（１３）、及び上部導電体付プレート（１３）の上端より上方の台脚部（７）と下段部飛沫防止カバー（３）との間など、上段部（８）と下段部（９）とは、天板受け板（２）と接し重なる上段部（８）の天板（１）との間を除く、どの場所においても・相互にナメクジ体長の約３分の２以上の間隔があるように形成される。また下段部飛沫防止カバー（３）の高さは水平方向から見て、台脚部（７）の上部導電体（１０ａ）のパターンが十分に隠れる程度にする。
本考案は以上のような構成であり、以下これを実際に使用する時の具体的な形態を説明する。
本考案の天板（１）には、合計で約６０Ｋｇ位までの植木鉢やプランターなどを載せられ、水やりも天板（１）に載せた状態で出来る。通常に於いてナメクジが、本考案の天板（１）に侵入する場合の経路として、外部から下段部（９）の設置板（４）に上り、下段部飛沫防止カバー（３）を乗越えるコースであるが、何れのコースでも、両台脚部（７）の、電圧が掛っている一対の導電体（１０）の箇所を突破しなければ、上段部（８）の天板（１）に至ることは出来ない。
本考案の、ナメクジ除けの機能性と関係ない特殊な侵入の場合として、人意的な不注意によるもので、植木鉢やプランターなど外観上で見えにくい容器の箇所や、園芸植物にナメクジが付着しているのを、知らずに持ち込むことで、結果としてナメクジを侵入させてしまう場合があるので、外部から持ち込む場合には、必ず、園芸用の容器や植物類などの全体を、入念に検察する必要がある。
それから、植木鉢やプランターの植物の葉などが、天板（１）以外の地面に接触している時や、不特定物が天板（１）や天板受け板（２）などに接触しているか、又は天板（１）や天板受け板（２）と外部との間隔が、ナメクジ体長の約３分の２未満の場合には、ナメクジがその間隔を越えて、天板（１）に上ってくる場合があるので、注意が必要である。よって、本考案の設置場所は、直に土砂の上に置かずに、設置場所の真下や周囲に雑草が生えないように整備した場所で、本考案の設置板（４）の下には、地面よりも多少高めの、コンクリート製などの腐食しない受け台（５）を置き、設置場所の周囲の雑草や近くの不特定物に対して、絶えず注意をする必要がある。
使用する電源の乾電池は市販の９Ｖであるが、通電を開始すると、ナメクジの侵入の有無に関係なく、自然リーク電流の為に、次第に電圧が低下するので、約６Ｖ以下になったら、９Ｖある乾電池に取り替える必要がある。
一対の導電体（１０）の部分に、感電したナメクジが取り付いた状態を放置してある場合には、電流が流れ続けて電池の寿命が短くなるので、十分に注意し、又、台風などの暴風雨の後は、設置状態や内部の様子などを良く見て、不要な障害物などを取り除き適切に対処する必要がある。本考案を使用しない時は、電池を外し、使い終わりには内部を含めた全体を清掃し、特に一対の導電体（１０）部分の汚れを良く落とすことで、電気ショック効果の低下を防止することが出来る。
天板（１）には、本考案の２倍位大きなテーブルを、重ねて取り付けて使用することが出来るが、制限重量（約６０Ｋｇ位）は超えないように、注意をする必要がある。
更に、本考案を２セット用い、少し並列に離して設置し、間に適当な補強材を使って跨ぐように配置すれば、より大きなテーブルを載せられ、本考案の５−６倍も面積の拡大が出来、よって、園芸活動の拡張に際して柔軟に対応が出来る。
【符号の説明】
【０００９】１  天板、  ２  天板受け板、  ３  下段部飛沫防止カバー、  ４  設置板、
５  受け台、  ６  電源ＢＯＸ、  ７  台脚部、  ８  上段部、  ９  下段部、
１０  導電体、  １０ａ  上部導電体、  １０ｂ  下部導電体、
１１  下部導電体付プレート、  １２  分離隔絶用プレート、
１３  上部導電体付プレート、  １４  スペーサー、  １５  電源ケーブル、
【図１】
0003202944.tif 000003
【図２】
0003202944.tif 000004
【図３】
0003202944.tif 000005
【図４】
0003202944.tif 000006
【図５】
0003202944.tif 000007
【図６】
0003202944.tif 000008